(57)【要約】      （修正有）【課題】小型化に有効で、水晶振動板の引出電極による短絡や電気的特性の劣化をなくす水晶振動デバイスを提供する。【解決手段】ＡＴカットの水晶振動板２があり、中央の一主面２１１に形成された第１励振電極２２１と他主面に形成された第２励振電極とが備えられた振動部２２と、その外周の切り抜き部２１と、そのさらに外周の外枠部２３と、振動部と外枠部を接続する１つの連結部２４とを有している。連結部２４は、一主面と他主面と、複数の傾斜面を有する一側面と他側面とを有している。第１励振電極と第２励振電極を外枠部へと延出する第１引出電極２２３と第２引出電極は、連結部の一主面２４０１の一部と一側面の全面に形成され、連結部の他主面の一部と他側面の全面に形成され、上記連結部の一主面と他主面とで重畳しない位置で形成されている。【選択図】図４
2017153033.tif 000002
【特許請求の範囲】
【請求項１】
一主面と他主面とを有するＡＴカットの水晶振動板であって、
上記水晶振動板の中央部分で、一主面に第１励振電極が形成され、他主面に第２励振電極が形成された振動部と、
上記振動部の外周に形成された切り抜き部と、
上記切り抜き部の外周に形成された外枠部と、
上記振動部と外枠部を接続するとともに上記水晶振動板のＺ´軸方向に延出された１つの連結部とを有し、
上記連結部はＸ軸方向の両端部から中央部に向かってそれぞれ１つ以上の傾斜面を有しており、
上記第１励振電極は上記連結部を経由して外枠部へと延出する第１引出電極と接続され、上記第２励振電極は上記連結部を経由して外枠部へと延出する第２引出電極と接続されており、
上記第１引出電極は上記水晶振動板の一主面側で、上記連結部のＸ軸方向の一端部の傾斜面とこの傾斜面に隣接する面に少なくとも形成され、
上記第２引出電極は上記水晶振動板の他主面側で、上記連結部のＸ軸方向の他端部の傾斜面とこの傾斜面に隣接する面に少なくとも形成されるとともに、
上記第１引出電極と第２引出電極とは上記水晶振動板の一主面と他主面とで重畳しない位置で形成されている
ことを特徴とする水晶振動板。
【請求項２】
請求項１に記載された水晶振動板と、
上記水晶振動板の一主面を覆う第１封止部材と、
上記水晶振動板の他主面を覆う第２封止部材とが備えられた
ことを特徴とする水晶振動デバイス。
【発明の詳細な説明】
【技術分野】
【０００１】
本発明は、一主面に形成された第１励振電極と、他主面に形成された第２励振電極とが備えられたＡＴカットの水晶振動板及びこの水晶振動板が備えられた水晶振動デバイスに関する。
【背景技術】
【０００２】
近年、各種電子機器の動作周波数の高周波化や、パッケージの小型化（特に低背化）が進んでいる。そのため、高周波化やパッケージの小型化にともなって、水晶振動デバイスも高周波化やパッケージの小型化への対応が求められている。
【０００３】
特に、水晶振動デバイスのうち小型化に対応したものとしては、その筐体が直方体のパッケージで構成され、ガラスや水晶など脆性材料からなる第１封止部材及び第２封止部材と、両主面に励振電極が形成された水晶振動板とから構成され、第１封止部材と第２封止部材とが水晶振動板を介して積層して接合され、パッケージの内部に配された水晶振動板の励振電極が気密封止されている（例えば、下記する特許文献１ご参照）ものがある。このような積層形態の水晶振動デバイスでは一般的にサンドイッチ構造と称している。
【先行技術文献】
【特許文献】
【０００４】
【特許文献１】特開２０１５−１２２６５２号公報
【発明の概要】
【発明が解決しようとする課題】
【０００５】
ところで、上述のようなサンドイッチ構造の水晶振動デバイスでは、水晶振動板の機能領域に、水晶振動子として励振するための振動部としての領域と、水晶振動板と封止部材とを接合して振動部を気密封止するための外枠部としての領域と、外枠部によって上記振動部の励振が妨げられないように、外枠部と振動部とを隔離するための切り抜き部としての領域と、振動部と外枠部とを接続するため連結部としての領域と、水晶振動板の配線と封止部材の配線とを電気的に接続するための配線部（配線パターンや配線用のスルーホール等）としての領域とがある。しかしながら、水晶振動デバイス（水晶振動板）の小型化とともに上述の各機能領域を確保することが困難になってきているのが現状である。
【０００６】
特に、振動部には励振電極が形成されており、これらの励振電極に関して引出電極により連結部を経由して外枠部へ延出するための配線部があるが、水晶振動デバイス（水晶振動板）の小型化とともにこのような配線部の領域も狭まっている。そこで、異極の引出電極同士で短絡しないように引出電極を配線することが必要であるだけでなく、引出電極を配線することで水晶振動子としての電気的特性にも影響しないように形成することも求められている。
【０００７】
そこで、上記課題を解決するために、本発明は、小型化に対応させながら水晶振動板の引出電極による短絡や電気的特性の劣化をなくしたより信頼性の高い水晶振動板、及び水晶振動デバイスを提供することを目的とする。
【課題を解決するための手段】
【０００８】
本発明では、上記目的を達成するために、一主面と他主面とを有するＡＴカットの水晶振動板であって、上記水晶振動板の中央部分で、一主面に第１励振電極が形成され、他主面に第２励振電極が形成された振動部と、上記振動部の外周に形成された切り抜き部と、上記切り抜き部の外周に形成された外枠部と、上記振動部と外枠部を接続するとともに上記水晶振動板のＺ´軸方向に延出された１つの連結部とを有し、上記連結部はＸ軸方向の両端部から中央部に向かってそれぞれ１つ以上の傾斜面を有しており、上記第１励振電極は上記連結部を経由して外枠部へと延出する第１引出電極と接続され、上記第２励振電極は上記連結部を経由して外枠部へと延出する第２引出電極と接続されており、上記第１引出電極は上記水晶振動板の一主面側で、上記連結部のＸ軸方向の一端部の傾斜面とこの傾斜面に隣接する面に少なくとも形成され、上記第２引出電極は上記水晶振動板の他主面側で、上記連結部のＸ軸方向の他端部の傾斜面とこの傾斜面に隣接する面に少なくとも形成されるとともに、上記第１引出電極と第２引出電極とは上記水晶振動板の一主面と他主面とで重畳しない位置で形成されている。
【０００９】
上記構成により、水晶振動板のＺ´軸方向に延出された１つの連結部とすることで、小型化に有利な外枠部付きの水晶振動板とすることができ、水晶振動板を圧電振動させた場合にも、振動部から外枠部への振動漏れの影響が少なくなり、より効率的に圧電振動させることができる。また、連結部を複数形成した場合と比較して、振動部への応力のかかり具合を低減できるので、応力による周波数シフトを低減して安定して水晶振動板を圧電振動させることができる。
【００１０】
連結部はＸ軸方向の両端部から中央部に向かってそれぞれ１つ以上の傾斜面を有しているため、連結部の表面積を増大させることができ、第１引出電極と第２引出電極とを形成するための有効面積を拡大することができる。また、第１引出電極は水晶振動板の一主面側で連結部のＸ軸方向の一端部の傾斜面とこの傾斜面に隣接する面に少なくとも形成され、第２引出電極は水晶振動板の他主面側で連結部のＸ軸方向の他端部の傾斜面とこの傾斜面に隣接する面に少なくとも形成されることで、連結部の各傾斜面とこの傾斜面に隣接する各面をつなぐ稜部分での各引出電極の断線が生じにくくなる。これらの構成により、水晶振動板の小型化などにより連結部の主面の面積が小さくなっても、各引出電極の導通抵抗を劣化させることがなくなる。
【００１１】
また、第１引出電極は水晶振動板の一主面側で連結部のＸ軸方向の一端部の傾斜面とこの傾斜面に隣接する面に少なくとも形成され、第２引出電極は水晶振動板の他主面側で連結部のＸ軸方向の他端部の傾斜面とこの傾斜面に隣接する面に少なくとも形成されるとともに、第１引出電極と第２引出電極とは水晶振動板の一主面と他主面とでお互いに重畳しない位置で形成されているため、第１引出電極と第２引出電極とが短絡することがなくなるだけでなく、連結部の各面間で第１引出電極と第２引出電極とが水平な状態でお互いに対面して形成されることがなくなるため、連結部での不要な励振を生じさせず、スプリアス振動の抑制と浮遊容量の軽減に有効な構成することができる。
【００１２】
また、上記水晶振動板の一主面を覆う第１封止部材と、上記水晶振動板の他主面を覆う第２封止部材とが備えられていてもよい。
【００１３】
このような構成によると、水晶振動板を第１封止部材と第２封止部材とで挟まれた構造であるので、比較的に小型の水晶振動デバイスとすることができる。また、上述した水晶振動板が備えられているので、水電振動デバイスとしての小型化を実現しながら導通性能を劣化させることなく、スプリアス振動の抑制と浮遊容量の軽減に有効な構成とできる。
【発明の効果】
【００１４】
以上により、本発明では、小型化に対応させながら導通性に優れ、電気的な特性でもより信頼性の高い水晶振動板、及び水晶振動デバイスを提供することができる。
【図面の簡単な説明】
【００１５】
【図１】図１は、本発明の実施形態にかかる水晶振動子の各構成を示した概略構成図である。
【図２】図２は、水晶振動子の第１封止部材の概略平面図である。
【図３】図３は、水晶振動子の第１封止部材の概略裏面図である。
【図４】図４は、水晶振動子の水晶振動板の概略平面図である。
【図５】図５は、水晶振動子の水晶振動板の概略裏面図である。
【図６】図６は、水晶振動子の第２封止部材の概略平面図である。
【図７】図７は、水晶振動子の第２封止部材の概略裏面図である。
【図８】図８は、図４のＣ−Ｃ線に沿った断面図である。
【図９】図９は、図８の他の形態に関する断面図である。
【発明を実施するための形態】
【００１６】
以下、本発明の実施形態について図面を参照して説明する。なお、以下の実施の形態では、水晶振動デバイスとして水晶振動子に本発明を適用した場合について説明する。
【００１７】
本形態にかかる水晶振動子１０１では、図１に示すように、水晶振動板２と、水晶振動板２の第１励振電極２２１（図４参照）を覆い、水晶振動板２の一主面２１１に形成された第１励振電極２２１を気密封止する第１封止部材３と、この水晶振動板２の他主面２１２に、水晶振動板２の第２励振電極２２２（図５参照）を覆い、第１励振電極２２１と対になって形成された第２励振電極２２２を気密封止する第２封止部材４が設けられている。この水晶振動子１０１では、水晶振動板２と第１封止部材３とが接合され、水晶振動板２と第２封止部材４とが接合されてサンドイッチ構造のパッケージ１２が構成される。
【００１８】
そして、水晶振動板２を介して第１封止部材３と第２封止部材４とが接合されることで、パッケージ１２の内部空間１３が形成され、このパッケージ１２の内部空間１３に、水晶振動板２の両主面２１１，２１２に形成された第１励振電極２２１及び第２励振電極２２２を含む振動部２２が気密封止されている。本形態にかかる水晶振動子１０１は、例えば、１．０×０．８ｍｍのパッケージサイズであり、小型化と低背化とを図ったものである。また、小型化に伴い、パッケージ１２では、キャスタレーションを形成せずに、貫通孔（第１〜第３貫通孔）を用いて電極の導通を図っている。
【００１９】
次に、上記した水晶振動子１０１の各構成について、図１〜７を用いて説明する。なお、ここでは、水晶振動板２と第１封止部材３と第２封止部材４が接合されていない夫々単体として構成されている各部材について説明を行う。
【００２０】
水晶振動板２は、図４，５に示すように、圧電材料である水晶からなり、その両主面（一主面２１１，他主面２１２）が平坦平滑面（鏡面加工）として形成されている。これらの一主面２１１と他主面２１２とは平行面である。本形態では、水晶振動板２として、厚みすべり振動を行うＡＴカット水晶板が用いられている。図４，５に示す水晶振動板２では、水晶振動板２の両主面２１１，２１２が、ＸＺ´平面とされている。このＸＺ´平面において、水晶振動板２の短手方向（短辺方向）に平行な方向がＸ軸方向とされ、水晶振動板２の長手方向（長辺方向）に平行な方向がＺ´軸方向とされている。なお、ＡＴカットは、人工水晶の３つの結晶軸である電気軸（Ｘ軸）、機械軸（Ｙ軸）、及び光学軸（Ｚ軸）のうち、Ｚ軸に対してＸ軸周りに３５°１５′だけ傾いた角度で切り出す加工手法である。ＡＴカット水晶板では、Ｘ軸は水晶の結晶軸に一致する。Ｙ´軸及びＺ´軸は、水晶の結晶軸のＹ軸及びＺ軸からそれぞれ３５°１５′傾いた軸に一致する。Ｙ´軸方向及びＺ´軸方向は、ＡＴカット水晶板を切り出すときの切り出し方向に相当する。
【００２１】
水晶振動板２の中央部分には略矩形に形成された振動部２２を有しており、その両主面（一主面２１１，他主面２１２）に一対の励振電極（第１励振電極２２１，第２励振電極２２２）が形成されている。第１励振電極２２１，第２励振電極２２２には、後述する外部電極端子（一外部電極端子４３１，他外部電極端子４３２）に接続するための引出電極（第１引出電極２２３，第２引出電極２２４）が接続されている。
【００２２】
つまり、振動部２２の一主面側に第１励振電極２２１が形成され、当該第１励振電極２２１に対向するとともに振動部２２の他主面側に第２励振電極２２２が形成されている。
また、第１励振電極２２１には、後述する連結部２４を経由して外枠２３部へと延出され、最終的に一外部電極端子４３１に接続される第１引出電極２２３が形成され、第２励振電極２２２には、後述する連結部２４を経由して外枠２３部へと延出され、最終的に他外部電極端子４３２に接続される第２引出電極２２４が形成されている。
【００２３】
また、水晶振動板２の振動部２２の外周に形成され水晶振動板２の厚み方向に貫通（一主面２１１と他主面２１２との間を貫通）する切り抜き部２１と、振動部２２と切り抜き部２１との外周を取り囲んだ状態で形成された外枠部２３と、振動部２２と外枠部２３を接続するとともに水晶振動板２のＺ´軸方向に延出された１つの連結部（保持部）２４とを有しており、水晶振動板２は振動部２２と連結部２４と外枠部２３とが一体的に設けられた構成となっている。これら振動部２２と連結部２４と外枠部２３の両主面（一主面，他主面）は、お互いに同じ面もしくは厚みが異なる平行面として形成されている。本形態では、振動部２２と連結部２４の厚みが同じ厚みで、これらの厚みより外枠部２３の厚みが厚く形成されているため、振動部２２と連結部２４との両主面（一主面，他主面）がそれぞれ同じ面となり、振動部２２と連結部２４との両主面（一主面，他主面）に対して外枠部２３の両主面（一主面，他主面）は平行な面となる。なお、本形態に限らず、振動部２２と連結部２４の厚みを変更してもよく、例えば、外枠部２３が最も厚く形成し、振動部２２が次に厚くなるように形成し、連結部２４が最も薄くなるように形成してもよい。また、振動部２２の一部に厚みの異なる領域を形成しメサ形状あるいは逆メサ形状としてもよい。
【００２４】
つまり、本形態では、連結部２４は、振動部２２と外枠部２３との間のＺ´軸方向に１箇所のみに設けられており、振動部２２の＋Ｘ方向かつ−Ｚ´方向に位置する１つの角部２２ａのみから、−Ｚ´方向に向けて外枠部２３まで延びている（Ｚ´軸方向に突出している）。連結部２４が設けられていない箇所が切り抜き部２１としての空間（隙間）になっている。このように、振動部２２の外周端部のうち、圧電振動の変位が比較的小さい角部２２ａの１カ所にのみにＺ´軸方向に延出された１つの連結部２４が設けられているので、連結部２４を角部２２ａ以外の部分（辺の中央部）に設けた場合に比べて、連結部２４を介して圧電振動が外枠部２３に漏れることを抑制することができ、より効率的に振動部２２を圧電振動させることができる。また、連結部２４を２つ以上設けた場合に比べて、振動部２２に作用する応力を低減することができ、そのような応力に起因する圧電振動の周波数シフトを低減して圧電振動の安定性を向上させることができる。また、小型化に有利な外枠部付きの水晶振動板２とすることができる。
【００２５】
また、図示していないが、振動部２２及び連結部２４は、外枠部２３よりも薄く形成されているとともに、水晶振動板２としての一主面２１１と他主面２１２と同じ面方向となる振動部２２の一主面２２０１と他主面２２０２、および連結部２４の一主面２４０１と他主面２４０２を有している。このような外枠部２３と連結部２４との厚みの違いにより、外枠部２３と連結部２４の圧電振動の固有振動数が異なることになり、連結部２４の圧電振動に外枠部２３が共鳴しにくくなる。
【００２６】
そして、図８（図４のＣ−Ｃ線に沿った拡大断面図）に示すように、連結部２４は、平行な一主面２４０１と他主面２４０２、当該一主面２４０１と他主面２４０２に対して傾いた傾斜面Ｋ１，Ｋ２，Ｋ３，Ｋ４を有する連結部の一側面２４０３と他側面２４０４とを有している。本形態では水晶振動板の各主面において、連結部２４のＸ軸方向の両端部から連結部２４の中央部に向かってそれぞれ１つの傾斜面を有している。連結部２４のＸ軸方向の一端部から中央部に向かう（図８では−Ｘ軸側の端部から＋Ｘ軸方向）傾斜面としては、水晶振動板の一主面側に傾斜面Ｋ１を有し、水晶振動板の他主面側に傾斜面Ｋ２とをそれぞれ有している。傾斜面Ｋ１には隣接する一主面２４０１が形成され、傾斜面Ｋ２には隣接する他主面２４０２が形成されている。連結部２４のＸ軸方向の他端部から中央部に向かう（図８では＋Ｘ軸側の端部から−Ｘ軸方向）傾斜面としては、水晶振動板の一主面側に傾斜面Ｋ３を有し、水晶振動板の他主面側に傾斜面Ｋ４とをそれぞれ有している。傾斜面Ｋ３には隣接する一主面２４０１が形成され、傾斜面Ｋ４には隣接する他主面２４０２が形成されている。図８では、連結部の一主面２４０１側（水晶振動板の一主面側）と連続する（接する）傾斜面を傾斜面Ｋ１，Ｋ３とし、連結部の他主面２４０２側（水晶振動板の一主面側）と連続する（接する）傾斜面を傾斜面Ｋ２，Ｋ４として図示している。また、連結部２４の各側面に形成される複数の傾斜面Ｋ１，Ｋ２，Ｋ３，Ｋ４については、ＡＴカットの水晶振動板に対してフッ素系のエッチング液によりウェットエッチングの手法により形成することで、人工水晶の結晶方位に対応したエッチングレート差が生じて傾斜面Ｋ１，Ｋ２，Ｋ３，Ｋ４を形成することができる。
【００２７】
より具体的には、水晶振動板２における振動部２２と外枠部２３と連結部２４が形成される領域に対して、フォトリソグラフィの手法によりレジスト膜などを形成する。レジスト膜が覆われていない切り抜き部２１の領域に対しては水晶振動板の素地部分が露出されるようになり、フッ素系のエッチング液に浸漬されることで、人工水晶の結晶方位に応じたエッチングレート差を生じながら、切り抜き部２１が掘り込まれる。そして、連結部２４をＺ´軸方向に延出することで、連結部２４の一側面２４０３と他側面２４０４とはＸ軸方向に沿った面方向となった状態でフッ素系のエッチング液によりウェットエッチングが施される。以上により、連結部の一主面２４０１と他主面２４０２からそれぞれ外側に緩やかに張り出した傾斜面Ｋ１，Ｋ２，Ｋ３，Ｋ４を有する斜面を有する状態でウェットエッチングが施される。より具体的には、一主面と他主面、一側面の傾斜面Ｋ１と傾斜面Ｋ２、他側面の傾斜面Ｋ３と傾斜面Ｋ４の少なくとも６面を有する断面略６角形状以上の多角形状の断面からなる連結部が得られる。本形態では図８に示すように断面略６角形状の連結部を図示している。これにより、連結部２４の一側面２４０３と他側面２４０４の表面積を増大させることができるだけでなく、各主面から各側面の稜部を鈍角な領域として構成できるため、後述する引出電極を形成する際の電極面積を拡大し、主面と側面をつなぐ稜部における引出電極の断線が抑制できる。
【００２８】
そして、第１引出電極２２３は、第１励振電極２２１から引き出され、連結部２４を経由して、外枠部２３に形成された接続用接合パターン２７に繋がっている。第２引出電極２２４は、第２励振電極２２２から引き出され、連結部２４を経由して、外枠部２３に形成された接続用接合パターン２８に繋がっている。この時、図４，図５，図８に示すように、第１引出電極２２３は、水晶振動板の一主面側で、連結部２４の一端（-Ｘ側）の傾斜面Ｋ１とこれに隣接（連続する）する一主面２４０１の一部に少なくとも形成され、第２引出電極２２４は、水晶振動板の他主面側で、連結部２４の他端（＋Ｘ側）の傾斜面Ｋ４とこれに隣接（連続する）する他主面２４０２の一部に少なくとも形成されるとともに、第１引出電極２２３と第２引出電極２２４とは連結部２４（水晶振動板）の一主面２４０１と他主面２４０２とで重畳しない位置で形成されている。なお、第１引出電極２２３と第２引出電極２２４とは連結部２４の一主面２４０１と他主面２４０２とで重畳しない状態で形成するためには、第１引出電極２２３は連結部２４の一端（-Ｘ側）で連結部２４の一主面２４０１のＸ軸方向の幅寸法の半分以下の寸法で形成されており、第２引出電極２２４は連結部２４の他端（＋Ｘ側）で連結部２４の他主面２４０２のＸ軸方向の幅寸法の半分以下の寸法で形成されていることが望ましい。
【００２９】
なお、上記構成に限らず、第１引出電極２２３は、連結部２４の一主面２４０１の一部と当該一主面２４０１に連続する一側面２４０３の傾斜面Ｋ１とこれに連続する傾斜面Ｋ２に形成され、第２引出電極２２４は、連結部２４の他主面２４０２の一部と当該他主面２４０２に連続する他側面２４０４の傾斜面Ｋ４とこれに連続する傾斜面Ｋ３に形成され、各側面（２４０３，２４０４）全面にそれぞれ形成されていてもよい。さらに、第１引出電極２２３と第２引出電極２２４とが連結部２４の一主面２４０１と他主面２４０２とで重畳しない位置で形成されていれば、第１引出電極２２３は、連結部２４の一主面２４０１の一部と傾斜面Ｋ１とＫ２を含む一側面２４０３の全面と他主面２４０２の一部に連続して形成され、第２引出電極２２４は連結部２４の他主面２４０２の一部と傾斜面Ｋ４とＫ３を含む他側面２４０４の全面と一主面２４０１の一部に連続して形成されていてもよい。
【００３０】
第１励振電極２２１は、振動部２２の一主面２２０１上に物理的気相成長させて形成された下地ＰＶＤ膜と、この下地ＰＶＤ膜上に物理的気相成長させて積層形成された電極ＰＶＤ膜とからなる。第１引出電極２２３は、連結部２４の一主面２４０１の一部と一側面２４０３上に物理的気相成長させて形成された下地ＰＶＤ膜と、この下地ＰＶＤ膜上に物理的気相成長させて積層形成された電極ＰＶＤ膜とからなる。第２励振電極２２２は、振動部２２の他主面２２０２上に物理的気相成長させて形成された下地ＰＶＤ膜と、この下地ＰＶＤ膜上に物理的気相成長させて積層形成された電極ＰＶＤ膜とからなる。第２引出電極２２４は、連結部２４の他主面２４０２の一部と他側面２４０４上に物理的気相成長させて形成された下地ＰＶＤ膜と、この下地ＰＶＤ膜上に物理的気相成長させて積層形成された電極ＰＶＤ膜とからなる。
【００３１】
以上のように構成された連結部２４に対して、第１引出電極２２３と第２引出電極２２４とを形成することで、第１引出電極と第２引出電極とを形成するための有効面積を拡大することができ、稜部分での断線が生じにくくなるため、各引出電極の導通抵抗を劣化させることがなくなる。また、第１引出電極２２３と第２引出電極２２４とが短絡することがなくなるだけでなく、連結部２４の一主面２４０１と他主面２４０２に対して第１引出電極２２３と第２引出電極２２４とが水平な状態でお互いに対面して形成されることがなくなるため、連結部２４での不要な励振を生じさせず、スプリアス振動の抑制と浮遊容量の軽減に有効な構成とすることができる。
【００３２】
なお、上記実施形態に限らず、連結部２４は、Ｘ軸方向の両端部から水晶振動板の各主面において、２つ以上の傾斜面を形成してもよいし、水晶振動板の各主面に対応した一主面と他主面を構成することなく、Ｘ軸方向の両端部から複数の傾斜面のみで構成したものであってもよい。
【００３３】
例えば、図９では、変形例としての連結部２４Ａを示しており、水晶振動板の各主面に対応した一主面と他主面を構成することなく、Ｘ軸方向の両端部から連結部２４Ａの中央部に向かってそれぞれ３つの傾斜面のみで構成している。具体的に、水晶振動板の一主面側では、連結部２４ＡのＸ軸方向の一端部（図９では−Ｘ軸側の端部）に傾斜面Ｋ１１、傾斜面Ｋ１１から中央部に向かって隣接する傾斜面Ｋ１２、傾斜面Ｋ１２からさらに中央部に向かって隣接する傾斜面Ｋ１３を有し、連結部２４ＡのＸ軸方向の他端部（図９では＋Ｘ軸側の端部）に傾斜面Ｋ３１、傾斜面Ｋ３１から中央部に向かって隣接する傾斜面Ｋ３２、傾斜面Ｋ３２からさらに中央部に向かって隣接する傾斜面Ｋ３３を有しており、傾斜部Ｋ１３と傾斜部Ｋ３３とが連結部２４Ａの中央部で隣接している。
【００３４】
また、水晶振動板の他主面側では、連結部２４ＡのＸ軸方向の一端部（図９では−Ｘ軸側の端部）に傾斜面Ｋ２１、傾斜面Ｋ２１から中央部に向かって隣接する傾斜面Ｋ２２、傾斜面Ｋ２２からさらに中央部に向かって隣接する傾斜面Ｋ２３を有し、連結部２４ＡのＸ軸方向の他端部（図９では＋Ｘ軸側の端部）に傾斜面Ｋ４１、傾斜面Ｋ４１から中央部に向かって隣接する傾斜面Ｋ４２、傾斜面Ｋ４２からさらに中央部に向かって隣接する傾斜面Ｋ４３を有しており、傾斜部Ｋ２３と傾斜部Ｋ４３とが連結部２４Ａの中央部で隣接している。
【００３５】
そして、第１引出電極２２３Ａは、水晶振動板の一主面側で、連結部２４Ａの一端（-Ｘ側）の傾斜面Ｋ１１とこれに隣接（連続する）する傾斜面Ｋ１２に形成され、第２引出電極２２４Ａは、水晶振動板の他主面側で、連結部２４Ａの他端（＋Ｘ側）の傾斜面Ｋ４１とこれに隣接（連続する）する傾斜面４２に形成されるとともに、第１引出電極２２３Ａと第２引出電極２２４Ａとは水晶振動板の一主面側と他主面側とで重畳しない位置で形成されている。
【００３６】
水晶振動板２の両主面２１１，２１２には、水晶振動板２を第１封止部材３及び第２封止部材４に接合するための振動側封止部２５が夫々設けられている。水晶振動板２の一主面２１１の振動側封止部２５に、第１封止部材３に接合するための振動側第１接合パターン２５１が形成されている。また、水晶振動板２の他主面２１２の振動側封止部２５に、第２封止部材４に接合するための振動側第２接合パターン２５２が形成されている。振動側第１接合パターン２５１及び振動側第２接合パターン２５２は、上述した外枠部２３に設けられており、平面視で環状に形成されている。振動側第１接合パターン２５１及び振動側第２接合パターン２５２は、水晶振動板２の両主面２１１，２１２の外周縁に近接するように設けられている。水晶振動板２の一対の第１励振電極２２１，第２励振電極２２２は、振動側第１接合パターン２５１及び振動側第２接合パターン２５２とは電気的に接続されていない。
【００３７】
振動側第１接合パターン２５１は、一主面２１１上に物理的気相成長させて形成された下地ＰＶＤ膜２５１１と、下地ＰＶＤ膜２５１１上に物理的気相成長させて積層形成された電極ＰＶＤ膜２５１２とからなる。振動側第２接合パターン２５２は、他主面２１２上に物理的気相成長させて形成された下地ＰＶＤ膜２５２１と、下地ＰＶＤ膜２５２１上に物理的気相成長させて積層形成された電極ＰＶＤ膜２５２２とからなる。つまり、振動側第１接合パターン２５１と振動側第２接合パターン２５２とは、同一構成からなり、複数の層が両主面２１１，２１２の振動側封止部２５上に積層して構成され、その最下層側からＴｉ層（もしくはＣｒ層）とＡｕ層とが蒸着形成されている。このように、振動側第１接合パターン２５１と振動側第２接合パターン２５２とでは、下地ＰＶＤ膜２５１１，２５２１が単一の材料（Ｔｉ（もしくはＣｒ））からなり、電極ＰＶＤ膜２５１２，２５２２が単一の材料（Ａｕ）からなり、下地ＰＶＤ膜２５１１，２５２１よりも電極ＰＶＤ膜２５１２，２５２２の方が厚い。また、水晶振動板２の一主面２１１に形成された第１励振電極２２１と振動側第１接合パターン２５１とは同一厚みを有し、第１励振電極２２１と振動側第１接合パターン２５１との表面が同一金属からなり、水晶振動板２の他主面２１２に形成された第２励振電極２２２と振動側第２接合パターン２５２とは同一厚みを有し、第２励振電極２２２と振動側第２接合パターン２５２との表面が同一金属からなる。また、振動側第１接合パターン２５１と振動側第２接合パターン２５２は、非Ｓｎパターンである。
【００３８】
ここで、第１励振電極２２１、第１引出電極２２３及び振動側第１接合パターン２５１を同一の構成とすることができ、この場合、同一のプロセスで第１励振電極２２１、第１引出電極２２３及び振動側第１接合パターン２５１を一括して形成することができる。同様に、第２励振電極２２２、第２引出電極２２４及び振動側第２接合パターン２５２を同一の構成とすることができ、この場合、同一のプロセスで第２励振電極２２２、第２引出電極２２４及び振動側第２接合パターン２５２を一括して形成することができる。詳細には、真空蒸着やスパッタリング、イオンプレーティング、ＭＢＥ、レーザーアブレーションなどのＰＶＤ法（例えば、フォトリソグラフィ等の加工におけるパターンニング用の膜形成法）により下地ＰＶＤ膜や電極ＰＶＤ膜を形成することで、一括して膜形成を行い、製造工数を減らすことができ、コスト低減に寄与することができる。
【００３９】
また、水晶振動板２には、図４，５に示すように、一主面２１１と他主面２１２との間を貫通する１つの貫通孔（第１貫通孔２６）が形成されている。第１貫通孔２６は、水晶振動板２の外枠部２３に設けられている。第１貫通孔２６は、後述する第２封止部材４の接続用接合パターン４５３に繋がるものである。
【００４０】
第１貫通孔２６には、図１，４，５に示すように、一主面２１１と他主面２１２とに形成された電極の導通を図るための貫通電極２６１が、第１貫通孔２６の内壁面に沿って形成されている。そして、第１貫通孔２６の中央部分は、一主面２１１と他主面２１２との間を貫通した中空状態の貫通部分２６２となる。第１貫通孔２６の外周囲には、接続用接合パターン２６４，２６５が形成されている。接続用接合パターン２６４，２６５は、水晶振動板２の両主面２１１，２１２に設けられている。
【００４１】
水晶振動板２の一主面２１１に形成された第１貫通孔２６の接続用接合パターン２６４は、外枠部２３において、Ｘ軸方向に沿って延びている。また、水晶振動板２の一主面２１１には、第１引出電極２２３に繋がる接続用接合パターン２７が形成されており、この接続用接合パターン２７も、外枠部２３において、Ｘ軸方向に沿って延びている。接続用接合パターン２７は、振動部２２（第１励振電極２２１）を挟んで、接続用接合パターン２６４とはＺ´軸方向の反対側に設けられている。つまり、振動部２２のＺ´軸方向の両側に、接続用接合パターン２７，２６４が設けられている。
【００４２】
同様に、水晶振動板２の他主面２１２に形成された第１貫通孔２６の接続用接合パターン２６５は、外枠部２３において、Ｘ軸方向に沿って延びている。また、水晶振動板２の他主面２１２には、第２引出電極２２４に繋がる接続用接合パターン２８が形成されており、この接続用接合パターン２８も、外枠部２３において、Ｘ軸方向に沿って延びている。接続用接合パターン２８は、振動部２２（第２励振電極２２２）を挟んで、接続用接合パターン２６５とはＺ´方向の反対側に設けられている。つまり、振動部２２のＺ´方向の両側に、接続用接合パターン２８，２６５が設けられている。
【００４３】
接続用接合パターン２７，２８，２６４，２６５は、振動側第１接合パターン２５１，振動側第２接合パターン２５２と同様の構成であり、振動側第１接合パターン２５１，振動側第２接合パターン２５２と同一のプロセスで形成することができる。具体的には、接続用接合パターン２７，２８，２６４，２６５は、水晶振動板２の両主面２１１，２１２上に物理的気相成長させて形成された下地ＰＶＤ膜と、当該下地ＰＶＤ膜上に物理的気相成長させて積層形成された電極ＰＶＤ膜とからなる。
【００４４】
水晶振動子１０１では、第１貫通孔２６及び接続用接合パターン２７，２８，２６４，２６５は、平面視で内部空間１３の内方（接合材１１の内周面の内側）に形成される。内部空間１３は、平面視で振動側第１接合パターン２５１及び振動側第２接合パターン２５２の内方（内側）に形成される。内部空間１３の内方とは、後述する接合材１１上を含まずに厳密に接合材１１の内周面の内側のことをいう。第１貫通孔２６及び接続用接合パターン２７，２８，２６４，２６５は、振動側第１接合パターン２５１及び振動側第２接合パターン２５２とは電気的に接続されていない。
【００４５】
第１封止部材３には、曲げ剛性（断面二次モーメント×ヤング率）が１０００［Ｎ・ｍｍ2］以下の材料が用いられている。具体的には、第１封止部材３は、図２，３に示すように、１枚のガラスウエハから形成された直方体の基板であり、この第１封止部材３の他主面３１２（水晶振動板２に接合する面）は平坦平滑面（鏡面加工）として形成されている。
【００４６】
この第１封止部材３の他主面３１２には、水晶振動板２に接合するための封止側第１封止部３２が設けられている。封止側第１封止部３２には、水晶振動板２に接合するための封止側第１接合パターン３２１が形成されている。封止側第１接合パターン３２１は、平面視で環状に形成されている。封止側第１接合パターン３２１は、第１封止部材３の他主面３１２の外周縁に近接するように設けられている。封止側第１接合パターン３２１は、第１封止部材３の封止側第１封止部３２上の全ての位置において同一幅とされる。
【００４７】
この封止側第１接合パターン３２１は、第１封止部材３上に物理的気相成長させて形成された下地ＰＶＤ膜３２１１と、下地ＰＶＤ膜３２１１上に物理的気相成長させて積層形成された電極ＰＶＤ膜３２１２とからなる。なお、本形態では、下地ＰＶＤ膜３２１１には、Ｔｉ（もしくはＣｒ）が用いられ、電極ＰＶＤ膜３２１２にはＡｕが用いられている。また、封止側第１接合パターン３２１は、非Ｓｎパターンである。具体的には、封止側第１接合パターン３２１は、複数の層が他主面３１２の封止側第１封止部３２上に積層して構成され、その最下層側からＴｉ層（もしくはＣｒ層）とＡｕ層とが蒸着形成されている。
【００４８】
第１封止部材３の他主面３１２、つまり、水晶振動板２との対向面には、水晶振動板２の接続用接合パターン２６４，２７と接合される接続用接合パターン３５，３６が形成されている。接続用接合パターン３５，３６は、第１封止部材３の短辺方向（図３のＡ１方向）に方向に沿って延びている。接続用接合パターン３５，３６は、第１封止部材３の長辺方向（図３のＡ２方向）に所定の間隔を隔てて設けられており、接続用接合パターン３５，３６のＡ２方向の間隔は、水晶振動板２の接続用接合パターン２６４，２７のＺ´軸方向の間隔（図４参照）と略同じになっている。接続用接合パターン３５，３６は、配線パターン３３を介して互いに接続されている。配線パターン３３は、接続用接合パターン３５，３６の間に設けられている。配線パターン３３は、Ａ２方向に沿って延びている。配線パターン３３は、水晶振動板２の接続用接合パターン２６４，２７とは接合されないようになっている。
【００４９】
接続用接合パターン３５，３６及び配線パターン３３は、封止側第１接合パターン３２１と同様の構成であり、封止側第１接合パターン３２１と同一のプロセスで形成することができる。具体的には、接続用接合パターン３５，３６及び配線パターン３３は、第１封止部材３の他主面３１２上に物理的気相成長させて形成された下地ＰＶＤ膜と、当該下地ＰＶＤ膜上に物理的気相成長させて積層形成された電極ＰＶＤ膜とからなる。
【００５０】
水晶振動子１０１では、接続用接合パターン３５，３６及び配線パターン３３は、平面視で内部空間１３の内方（接合材１１の内周面の内側）に形成される。接続用接合パターン３５，３６及び配線パターン３３は、封止側第１接合パターン３２１とは電気的に接続されていない。なお、水晶振動子１０１では、図３のＡ１方向は、図４のＸ軸方向に一致し、図３のＡ２方向は、図４のＺ´軸方向に一致する。
【００５１】
第２封止部材４には、曲げ剛性（断面二次モーメント×ヤング率）が１０００［Ｎ・ｍｍ2］以下の材料が用いられている。具体的には、第２封止部材４は、図６，７に示すように、１枚のガラスウエハから形成された直方体の基板であり、この第２封止部材４の一主面４１１（水晶振動板２に接合する面）は平坦平滑面（鏡面加工）として形成されている。
【００５２】
この第２封止部材４の一主面４１１には、水晶振動板２に接合するための封止側第２封止部４２が設けられている。封止側第２封止部４２には、水晶振動板２に接合するための封止側第２接合パターン４２１が形成されている。封止側第２接合パターン４２１は、平面視で環状に形成されている。封止側第２接合パターン４２１は、第２封止部材４の一主面４１１の外周縁に近接するように設けられている。封止側第２接合パターン４２１は、第２封止部材４の封止側第２封止部４２上の全ての位置において同一幅とされる。
【００５３】
この封止側第２接合パターン４２１は、第２封止部材４上に物理的気相成長させて形成された下地ＰＶＤ膜４２１１と、下地ＰＶＤ膜４２１１上に物理的気相成長させて積層形成された電極ＰＶＤ膜４２１２とからなる。なお、本形態では、下地ＰＶＤ膜４２１１には、Ｔｉ（もしくはＣｒ）が用いられ、電極ＰＶＤ膜４２１２にはＡｕが用いられている。また、封止側第２接合パターン４２１は、非Ｓｎパターンである。具体的には、封止側第２接合パターン４２１は、複数の層が他主面４１２の封止側第２封止部４２上に積層して構成され、その最下層側からＴｉ層（もしくはＣｒ層）とＡｕ層とが蒸着形成されている。
【００５４】
また、第２封止部材４の他主面４１２（水晶振動板２に面しない外方の主面）には、外部に電気的に接続する一対の外部電極端子（一外部電極端子４３１，他外部電極端子４３２）が設けられている。一外部電極端子４３１，他外部電極端子４３２は、図１，７に示すように第２封止部材４の他主面４１２の平面視長手方向両端に夫々位置する。これら一対の外部電極端子（一外部電極端子４３１，他外部電極端子４３２）は、他主面４１２上に物理的気相成長させて形成された下地ＰＶＤ膜４３１１，４３２１と、下地ＰＶＤ膜４３１１，４３２１上に物理的気相成長させて積層形成された電極ＰＶＤ膜４３１２，４３２２とからなる。一外部電極端子４３１及び他外部電極端子４３２は、第２封止部材４の他主面４１２のうち１／３以上の領域を夫々占めている。
【００５５】
第２封止部材４には、図１，６，７に示すように、一主面４１１と他主面４１２との間を貫通する２つの貫通孔（第２貫通孔４５，第３貫通孔４６）が形成されている。第２貫通孔４５は、一外部電極端子４３１及び水晶振動板２の接続用接合パターン２６５に繋がるものである。第３貫通孔４６は、他外部電極端子４３２及び水晶振動板２の接続用接合パターン２８に繋がるものである。
【００５６】
第２貫通孔４５，第３貫通孔４６には、図１，６，７に示すように、一主面４１１と他主面４１２とに形成された電極の導通を図るための貫通電極４５１，４６１が、第２貫通孔４５，第３貫通孔４６の内壁面夫々に沿って形成されている。そして、第２貫通孔４５，第３貫通孔４６の中央部分は、一主面４１１と他主面４１２との間を貫通した中空状態の貫通部分４５２，４６２となる。第２貫通孔４５，第３貫通孔４６夫々の外周囲には、接続用接合パターン４５３，４６３が形成されている。
【００５７】
接続用接合パターン４５３，４６３は、第２封止部材４の一主面４１１に設けられており、水晶振動板２の接続用接合パターン２６５，２８と接合される。接続用接合パターン４５３，４６３は、第２封止部材４の短辺方向（図６のＢ１方向）に方向に沿って延びている。接続用接合パターン４５３，４６３は、第２封止部材４の長辺方向（図６のＢ２方向）に所定の間隔を隔てて設けられており、接続用接合パターン４５３，４６３のＢ２方向の間隔は、水晶振動板２の接続用接合パターン２６５，２８のＺ´軸方向の間隔（図５参照）と略同じになっている。
【００５８】
接続用接合パターン４５３，４６３は、封止側第２接合パターン４２１と同様の構成であり、封止側第２接合パターン４２１と同一のプロセスで形成することができる。具体的には、接続用接合パターン４５３，４６３は、第２封止部材４の一主面４１１上に物理的気相成長させて形成された下地ＰＶＤ膜と、当該下地ＰＶＤ膜上に物理的気相成長させて積層形成された電極ＰＶＤ膜とからなる。
【００５９】
水晶振動子１０１では、第２貫通孔４５，第３貫通孔４６及び接続用接合パターン４５３，４６３は、平面視で内部空間１３の内方に形成されている。第２貫通孔４５，第３貫通孔４６及び接続用接合パターン４５３，４６３は、封止側第２接合パターン４２１とは電気的に接続されていない。また、一外部電極端子４３１，他外部電極端子４３２も、封止側第２接合パターン４２１とは電気的に接続されていない。なお、水晶振動子１０１では、図６のＢ１方向は、図５のＸ軸方向に一致し、図６のＢ２方向は、図５のＺ´軸方向に一致する。
【００６０】
上記の構成からなる水晶振動子１０１では、従来の技術のように別途接着剤等の接合専用材を用いずに、水晶振動板２と第１封止部材３とが振動側第１接合パターン２５１及び封止側第１接合パターン３２１を重ね合わせた状態で拡散接合され、水晶振動板２と第２封止部材４とが振動側第２接合パターン２５２及び封止側第２接合パターン４２１を重ね合わせた状態で拡散接合されて、図１に示すサンドイッチ構造のパッケージ１２が製造される。これにより、パッケージ１２の内部空間１３、つまり、振動部２２の収容空間が気密封止される。なお、振動側第１接合パターン２５１及び封止側第１接合パターン３２１自身が拡散接合後に生成される接合材１１となり、振動側第２接合パターン２５２及び封止側第２接合パターン４２１自身が拡散接合後に生成される接合材１１となる。接合材１１は、平面視で環状に形成される。本形態では、水晶振動板２の第１、第２励振電極２２１，２２２から一外部電極端子４３１，他外部電極端子４３２までの配線がいずれも、平面視で接合材１１の内方に設けられている。接合材１１は、平面視で、パッケージ１２の外周縁に近接するように形成されている。これにより、水晶振動板２の振動部２２のサイズを大きくすることが可能になっている。
【００６１】
この際、上述した接続用接合パターン同士も重ね合わせられた状態で拡散接合される。具体的には、水晶振動板２の接続用接合パターン２６４及び第１封止部材３の接続用接合パターン３５が拡散接合される。水晶振動板２の接続用接合パターン２７及び第１封止部材３の接続用接合パターン３６が拡散接合される。また、水晶振動板２の接続用接合パターン２６５及び第２封止部材４の接続用接合パターン４５３が拡散接合される。水晶振動板２の接続用接合パターン２８及び第２封止部材４の接続用接合パターン４６３が拡散接合される。そして、夫々の接続用接合パターン同士が拡散接合後に生成される接合材１４となる。拡散接合によって形成されたこれらの接合材１４は、貫通孔の貫通電極と接合材１４とを導通させる役割、及び接合箇所を気密封止する役割を果たす。なお、接合材１４は、平面視で封止用の接合材１１よりも内方に設けられるため、図１では破線で示している。
【００６２】
ここで、第１貫通孔２６と第２貫通孔４５とが平面視で重畳しないように配置されている。具体的には、図６に示すように、正面視では（図６のＢ１方向から見ると）、第１貫通孔２６と第２貫通孔４５とは上下に一直線上に並んで配置されている。図６では、便宜上、第２封止部材４の上方に設けられる水晶振動板２に形成された第１貫通孔２６を２点鎖線で示している。一方、側面視では（図６のＢ２方向から見ると）、第１貫通孔２６と第２貫通孔４５とは上下に一直線上に並ばないようにオフセットされて配置されている。より詳細には、接合材１４（接続用接合パターン２６５，４５３）の長手方向（Ｂ１方向）の一端部に第１貫通孔２６が接続され、接合材１４の長手方向の他端部に第２貫通孔４５が接続されている。そして、第１貫通孔２６の貫通電極２６１と第２貫通孔４５の貫通電極４５１とが接合材１４を介して電気的に接続されている。このように、第１貫通孔２６と第２貫通孔４５とを平面視で重畳しないように配置することによって、水晶振動板２の振動部２２を気密封止した内部空間１３の気密性を確保するうえでより好ましい構造となる。
【００６３】
そして、上述のようにして製造されたパッケージ１２では、第１封止部材３と水晶振動板２とは、１．００μｍ以下のギャップを有し、第２封止部材４と水晶振動板２とは、１．００μｍ以下のギャップを有する。つまり、第１封止部材３と水晶振動板２との間の接合材１１の厚みが、１．００μｍ以下であり、第２封止部材４と水晶振動板２との間の接合材１１の厚みが、１．００μｍ以下（具体的には、本形態のＡｕ−Ａｕ接合では０．０１μｍ〜１．００μｍ）である。なお、比較として、Ｓｎを用いた従来の金属ペースト封止材では、５μｍ〜２０μｍとなる。
【００６４】
なお、本形態では、サンドイッチ構造の水晶振動子１０１において、第１封止部材３の他主面３１２、つまり、水晶振動板２との対向面に、水晶振動板２の第１励振電極２２１に接続される配線パターン３３が設けられており、この配線パターン３３の少なくとも一部が、平面視で、振動部２２と外枠部２３との間の空間と重畳する位置に設けられており、配線パターン３３は、平面視で、第１励振電極２２１，第２励振電極２２２とは重畳しない位置に設けられていることがより好ましい。
【００６５】
このように構成することで、第１封止部材３の他主面３１２を配線パターン３３の配置領域として有効活用することができ、振動部２２のサイズを確保しつつ、水晶振動子１０１の小型化を図ることができる。つまり、水晶振動板２に配線パターン３３の配置領域を別途確保する必要がなくなり、その分だけ振動部２２のサイズを大きくすることが可能になる。したがって、水晶振動子１０１の小型化の要請を満たすために、振動部２２のサイズを必要以上に小さくしなくてもよくなる。
【００６６】
また、第１封止部材３の他主面３１２が平坦面に形成されているので、第１封止部材３の厚さを抑えることができ、その分、水晶振動子１０１の低背化に寄与することができる。つまり、第１封止部材３の他主面３１２に凹部が設けられている場合、凹部の深さに相当する分だけ第１封止部材３の厚さが増加することが懸念される。しかし、第１封止部材３の他主面３１２を平坦面に形成することによって、第１封止部材３の厚さが増加することを抑制することができ、水晶振動子１０１の低背化に寄与することができる。この場合、水晶振動板２の振動部２２及び連結部２４が、外枠部２３よりも薄く形成されているので、水晶振動子１０１の低背化を図りながら、振動部２２と第１封止部材３及び第２封止部材４との接触を抑制する点で有効である。
【００６７】
また、本形態では、第１封止部材３及び第２封止部材４にガラスを用いているが、これに限定されるものではなく、水晶を用いてもよい。
【００６８】
なお、上記に示した本発明の実施形態及び実施例はいずれも本発明を具体化した例であって、本発明の技術的範囲を限定する性格のものではない。上記各実施形態では、水晶振動デバイスを水晶振動子としたが、水晶振動子以外の水晶振動デバイス（例えば、水晶発振器）にも本発明を適用することが可能である。
【産業上の利用可能性】
【００６９】
本発明は、圧電振動板の基板の材料に水晶を用いた水晶振動デバイス（水晶振動子や水晶発振器等）に好適である。
【符号の説明】
【００７０】
１０１    水晶振動子
１２    パッケージ
１３    内部空間
２    水晶振動板
２１    切り抜き部
２２    振動部
２２１    第１励振電極
２２２    第２励振電極
２２３    第１引出電極
２２４    第２引出電極
２３    外枠部
２４，２４Ａ    連結部
３    第１封止部材
３１２    他主面
３３    配線パターン（配線）
４    第２封止部材
【図１】
2017153033.tif 000003
【図２】
2017153033.tif 000004
【図３】
2017153033.tif 000005
【図４】
2017153033.tif 000006
【図５】
2017153033.tif 000007
【図６】
2017153033.tif 000008
【図７】
2017153033.tif 000009
【図８】
2017153033.tif 000010
【図９】
2017153033.tif 000011